(57)【要約】      （修正有）【課題】バイパスプラグの着脱作業時等に、作業者の手指が充電部に接触するのを確実に回避可能にする。【解決手段】少なくとも器体Ｐの外に露出する引込線取付部２７を被うように、器体Ｐに絶縁カバー３０を着脱可能に装着する。【選択図】図２
0003112715.tif 000002
【実用新案登録請求の範囲】
【請求項１】
電力量計と負荷側引込線との間に接続される２つのバイパスプラグ着脱端子と、負荷側の前記バイパスプラグ着脱端子に電気接続され、かつ前記負荷側引込線を取り付ける引込線取付部とを器体に備え、負荷側への電力供給を、前記バイパスプラグ着脱端子のそれぞれの側に着脱可能に電気接続される遠隔操作型給電停止／停止解除装置を介して行えるようにする無停電端子であって、
少なくとも前記器体の外に露出する前記引込線取付部を被うように、前記器体に絶縁カバーが着脱可能に装着されてなることを特徴とする無停電端子。
【請求項２】
前記絶縁カバーが、透明の材料から作られていることを特徴とする請求項１に記載の無停電端子。
【考案の詳細な説明】
【技術分野】
【０００１】
本考案は、需要家側に設置された電力量計に接続され、遠隔操作によって給電停止／停止解除を行う遠隔操作型給電停止／停止解除装置の取り外しを、無停電で行うのに用いる無停電端子に関する。
【背景技術】
【０００２】
電力会社等から需要者（家庭等）に対して電力を供給する場合において、需要者から電力の使用料金を徴収するために、各需要者に対して電力量計を設置している。電力量計には、電力会社側の給電線に繋がる負荷側引込線が接続されるとともに、需要者側の屋内配線にも接続され、需要者が消費する電力を計測する。
【０００３】
ところで、電力会社は、電力量計で計測した消費電力に基づいて、需要者に対して使用料金を請求し、需要者から使用料金を徴収する。その際、需要者の経済的な事情等により、使用料金を徴収できない場合がある。この場合、電力会社は、需要者に対する電力の供給を停止する場合がある。
【０００４】
電力の供給停止や停止解除を行う場合、電力会社の作業員が、需要者の電力量計の設置現場へ出向き、宅内給電の停止作業あるいは復旧作業を行っている。この際、作業員は、電力量計の引込み線や電柱上の引込線を切り離したり、あるいは、接続を行っている。
【０００５】
一方、このような給電の停止作業や復旧作業の煩わしさを回避するために、無停電端子と遠隔操作型給電停止／停止解除装置を用いた遠隔給電制御システムが提供されている（例えば、特許文献１参照）。
【０００６】
この遠隔給電制御システムでは、電力供給側の給電線に電力量計が接続され、この電力量計と負荷側（需要家側）とを結ぶ負荷側引込線の途中に、無停電端子が接続され、この無停電端子に対し遠隔操作型給電停止／停止解除装置が並列接続されている。
【０００７】
この構成によれば、電気料金の不払い需要家については、負荷側引込線の１本を電力量計から取外して給電を停止し、その電力量計と取外した負荷側引込線との間に無停電端子を取り付け、この無停電端子が持つ２つの接続端子に遠隔操作型給電停止／停止解除装置の２つの端子を接続する。
【０００８】
一方、電機料金の払い込みがあったときは、遠隔操作型給電停止／停止解除装置のリレースイッチを遠隔操作によりオンにして給電を再開する。また、無停電端子のバイパスプラグ着脱端子にバイパス用プラグを挿し込むことで、遠隔操作型給電停止／停止解除装置を無停電状態にて取外すことができる。
【特許文献１】特開２００４‐２２９４００号公報
【考案の開示】
【考案が解決しようとする課題】
【０００９】
しかしながら、このような従来の遠隔給電制御システムにおいては、無停電端子に対する遠隔操作型給電停止／停止解除装置の取り付け時および取外時に、前記負荷側引込線を無停電端子に接続するための、引込線取付部としての締め付けねじの頭（充電部）が器体の外に露出しているため、無停電端子に対する前記バイパスプラグの着脱作業時等に、作業者の手指がこの充電部に接触し、感電する惧れがある。
【００１０】
本考案は、このようなバイパスプラグの着脱作業時等に、作業者の手指が充電部に接触するのを確実に回避でき、かつ負荷側引込線端の引込線取付部に対する接続状態を、容易に目視観察することができるようにする無停電端子を提供することを目的とする。
【課題を解決するための手段】
【００１１】
前記目的達成のために、本考案にかかる無停電端子は、電力量計と負荷側引込線との間に接続される２つのバイパスプラグ着脱端子と、負荷側の前記バイパスプラグ着脱端子に電気接続され、かつ前記負荷側引込線を取り付ける引込線取付部とを器体に備え、負荷側への電力供給を、前記バイパスプラグ着脱端子のそれぞれの側に着脱可能に電気接続される遠隔操作型給電停止／停止解除装置を介して行えるようにする無停電端子であって、少なくとも前記器体の外に露出する前記引込線取付部を被うように、前記器体に絶縁カバーが着脱可能に装着されてなることを特徴とする。
【００１２】
この構成により、絶縁カバーは、作業者の手指が前記引込線取付部に直接接触するのを防止し、感電事故の発生を未然に回避することができる。
【００１３】
また、本考案にかかる無停電端子は、前記絶縁カバーが、透明の材料から作られていることを特徴とする。
【００１４】
この構成により、作業者は、絶縁カバーを通して、この絶縁カバーによって被われた、負荷側引込線の引込線取付部による取付状況、例えば負荷側引込線の閉め忘れや締付け不十分などを、外から目視で簡単に監視することができる。
【考案の効果】
【００１５】
本考案の無停電端子によれば、器体に電力量計と負荷側引込線との間に２つのバイパスプラグ着脱端子を接続し、バイパスプラグ着脱端子の負荷側の１つに記負荷側引込線を取り付ける引込線取付部を電気接続し、負荷側への電力供給を、前記バイパスプラグ着脱端子のそれぞれに着脱可能に接続される遠隔操作型給電停止／停止解除装置を介して行えるようにし、前記器体の外に露出する前記引込線取付部を被うように、前記器体に絶縁カバーを着脱可能に装着させるように構成したことにより、作業者の手指が前記引込線取付部に直接接触するのを防止でき、これにより感電事故の発生を未然に回避することができる。
【考案を実施するための最良の形態】
【００１６】
以下に、本考案の無停電端子の実施形態を、図１および図２を参照して説明する。図１および図２は、本実施形態の無停電端子１０を示す平面図および縦断正面図である。
【００１７】
図１および図２において、無停電端子１０は合成樹脂製のケース１１と、ケース１１の開口部を塞ぐ合成樹脂製のカバー１２と、ケース１１内に絶縁的に分離配置された２つの導電ブロック１３、１４と、一方の導電ブロック１３にねじ１５によりねじ止めされたリード線１６とを備えている。
【００１８】
前記ケース１１とカバー１２とは、本考案の器体Ｐを構成している。
【００１９】
導電ブロック１３、１４は黄銅製で、直方形状をなす。これらの導電ブロック１３、１４のそれぞれには後述の遠隔操作型給電停止／停止解除装置の２つのリード線端を着脱可能に挿入し得るリード線接続孔１７、１８が垂直方向に設けられている。これらの各リード線接続孔１７、１８に対応する部位のケース１１には、これらのリード線接続孔１７,１８に連通するとともに、前記リード線端を挿入可能にする挿入孔２９、２０が形成されている。
【００２０】
また、各導電ブロック１３、１４には、後述のバイパスプラグ２１の各一端を挿入しうるバイパスプラグ着脱端子となるプラグ端子挿入孔２２、２３が垂直方向に設けられている。これらの各プラグ挿入孔２２、２３に対応する部位のケース１１の突出部１１ａに、プラグ端子挿入孔２２、２３に連通するとともに、前記バイパスプラグ２１が挿入可能なプラグ嵌合孔２４、２５が設けられている。
【００２１】
なお、バイパスプラグ２１は、略コ字上に折曲された導電線の脚部２１ａ、２１ｂを除く部分を、合成樹脂によりモールドしたものからなり、その脚部２１ａ、２１ｂが前記プラグ端子挿入孔２２、２３に挿入され、各導電ブロック１３、１４を互いに電気的に接続するように機能する。
【００２２】
また、一方の導電ブロック１４には、負荷側引込線（図示しない）の端部を挿入しうる引込線挿入孔２６が水平方向に設けられている。この引込線挿入孔２６内に先端が挿入された負荷側引込線を、導電ブロック１４にねじ込まれた引込み線取付部としての２個の止めねじ２７により保持可能にしている。
【００２３】
この止めねじ２７の頭はケース１１の突出部１１ｂに形成された、上下方向に貫通する工具挿入用の操作孔２８内に露出している。さらに、ケース１１側面の前記引込線挿入孔２６に対応する部位に、同じく負荷側引込線の挿入が可能な挿入孔２９が形成されている。
【００２４】
本実施形態においては、前記ケース１１の突出部１１ｂを被うように絶縁カバー３０が着脱可能に装着されている。この絶縁カバー３０は、例えば無色透明または有色透明の合成樹脂、例えばポリプロピレン等のフィルム材やシート材から、図３に示すように構成されている。
【００２５】
図３は、この絶縁カバー３０の斜視図である。この絶縁カバー３０は、天板部３１と、天板部３１の前後に連接された前板部３２および後板部３３と、天板部３１の左右に連接された左板部３４および右板部３５とからなる。
【００２６】
天板部３１は矩形をなし、前板部３２および後板部３３は略逆台形をなす。これらの前板部３２および後板部３３の下端には、ケース１１への装着時にカバー１２の底面に係合する係合片３２ａ、３３ａが連接されている。これらの係合片３２ａ、３３ａは、前板部３２および後板部３３に対して、互いに対向する方向に直角に延びている。
【００２７】
また、前記左板部３４はケース１１の突出部１１ｂの一側面に係止可能な所定長（幅）を持ち、かつ天板部３１、前板部３４および後版部３５に一体連続している。また、右板部３５は天板部３１に対し舌片（突片）状に突設され、その基部の切欠部３５ａ付近で下方に折曲されたような形態をなす。
【００２８】
なお、この絶縁カバー３０は、前述のようにポリプロピレン等の合成樹脂によって成形されているため、各前板部３２、後板部３３、左板部３４および右板部３５に弾性が付与され、前記突出部１１ｂに装着すると、この突出部１１ｂを前後左右方向から挟み込むように機能する。
【００２９】
また、左板部３４および右板部３５の上下方向の長さが短く、それぞれ突出部１１ｂに対し浅く係合している。このため、右板部３５を指先で軽く持ち上げることで、保持カバー３０を突出部１１ｂから容易に取外すことができる。
【００３０】
さらに、前記絶縁カバー３０は透明の合成樹脂等から構成されている。このため、止めねじ２７による負荷側引込線の接続状況、具体的には２本の止めねじ２７の頭の高さが異なる場合（止めねじ２７の一方が締め込み不十分な状態など）、通常より高すぎる場合（止めねじ２７が緩んでいる状態など）、通常より低すぎる場合（負荷側引込線が接続されていない状態など）を、作業員は上方から容易に目視で確認することができる。
【００３１】
これにより、止めねじ２７による負荷側引込線の接続の不具合による過熱事故等を未然に防止することができるほか、例えばバイパスプラグの着脱作業時に、作業員が充電部である止めねじ２７に手指が触れる事による感電事故の発生を未然に回避することができる。
【００３２】
このような構成となる無停電端子１０は、図４に示すように、電力量計４１に接続されて用いられる。まず、無停電端子１０が接続される前の状態において、電力量計４１の１つの負荷側端子４２に接続されている負荷側引込線４３のいずれか１本を引き抜く。このとき、負荷側は停電となる。
【００３３】
次に、この負荷側端子４２と無停電端子１０内の前記導電ブロック１３にねじ止めされているリード線１６端を接続する。また、導電ブロック１４の引込線挿入孔２６内に、前記のようにして引き抜いた負荷側引込線４３の端部を挿入して、２本の止めねじ２７により挟圧、固定する。
【００３４】
続いて、ケース１１に設けられた挿入孔１９、２０のそれぞれを介して、遠隔操作型給電停止／停止解除装置４４のリード線４５、４６端を無停電端子１０のリード接続孔１７、１８にそれぞれプラグイン接続する。このとき、遠隔操作型給電停止／停止解除装置４４のリレースイッチ４４ａはオフに保持しておく。このようにして、負荷側引込線４３への給電を停止する。
【００３５】
一方、この給電停止を解除する場合には、遠隔操作型給電停止／停止解除装置４４を遠隔制御により作動させ、リレースイッチ４４ａをオンにする。これにより、このリレースイッチ４４ａを介して、電力量計４１を介して負荷側給電線４３に給電が再開される。
【００３６】
また、前記遠隔操作型給電停止／停止解除装置４４を負荷側給電線４３への給電を続けたまま取外す場合には、ケース１１に設けられたプラグ嵌合孔２４、２５を介して、導電ブロック１３、１４のプラグ端子挿入孔２２、２３にバイパスプラグ２１の両脚部２１ａ、２１ｂを挿入する。
【００３７】
そこで、遠隔操作型給電停止／停止解除装置４４のリード線４５、４６端をリード線接続孔１７、１８から引き抜く。これにより、遠隔操作型給電停止／停止解除装置４４を介しての給電を停止しても、バイパスプラグ２１を通じての給電が継続されることとなる。
【００３８】
このような無停電端子１０の負荷側引込線４３への接続作業や遠隔操作型給電停止／停止解除装置４４の取付作業等において、作業者の手指が、外部に露出している止めねじ２７付近に近接することがある。
【００３９】
しかし、これらの止めねじ２７が絶縁カバーによって被われているため、その止めねじ２７への手指の接触は確実に断たれ、従って、前記の様な感電事故の発生は発生しない。このため、作業者は安心して、前記の取り付けや取り外しの各作業を実施することができる。
【００４０】
また、前記のように、絶縁カバー３０が透明である場合には、止めねじ２７による負荷側引込線４３の接続状態を外部から容易に観察することができる。従って、負荷側引込線４３の接続ミスの発生を未然に回避することができる。
【００４１】
前記絶縁カバー３０は、ポリプロピレンなどの合成樹脂からなる厚目のシートやフィルムによって構成することができるため、前記無停電端子１０への着脱が人の指先操作のみで簡単、迅速に行うことができるとともに、極めて安価に得られるという利点がある。
【００４２】
なお、前記実施形態では、電力量計４１の負荷側端子４２にリード線１６を介して１つの無停電端子１０を接続した場合について述べたが、必要に応じ電力量計４１のもう１つの負荷側端子４７にも、同様にリード線を介して別に用意した無停電端子１０を接続してもよい。
【００４３】
このように、本実施形態によれば、電力量計４１と負荷側引込線４３との間に接続される２つのバイパスプラグ着脱端子２２、２３と、これらのバイパスプラグ着脱端子２２、２３の負荷側の１つに電気接続され、かつ前記負荷側引込線４３を取り付ける引込線取付部２７とを器体Ｐに備え、負荷側への電力供給を、前記バイパスプラグ着脱端子２２、２３のそれぞれに着脱可能に接続される遠隔操作型給電停止／停止解除装置４４を介して行えるようにする無停電端子１０であって、少なくとも前記器体Ｐの外に露出する前記引込線取付部２７を被うように、前記器体Ｐに絶縁カバー３０を着脱可能に装着したことにより、作業者の手指が前記引込線取付部２７に直接接触するのを防止でき、結果として感電事故の発生を未然に回避することができる。
【産業上の利用可能性】
【００４４】
本考案の無停電端子は、バイパスプラグの着脱作業時等に、作業者の手指が充電部に接触するのを確実に回避でき、かつ負荷側引込線端の引込線取付部に対する接続状況を、容易に目視観察することができるという効果を有し、需要家側に設置された電力量計に接続され、遠隔操作によって給電停止／停止解除を行う遠隔操作型給電停止／停止解除装置の取り外しを、無停電で行う無停電端子等として、利用上有用である。
【図面の簡単な説明】
【００４５】
【図１】本考案の実施形態による無停電端子の構成を示す平面図である。
【図２】図１に示す無停電端子の縦断正面図である。
【図３】本考案における絶縁カバーを示す斜視図である。
【図４】本考案の無停電端子を含む遠隔給電制御システムを示す概略の結線図である。
【符号の説明】
【００４６】
１０  無停電端子
１１  ケース
１２  カバー
２２  プラグ端子挿入孔（バイパスプラグ着脱端子）
２３  プラグ端子挿入孔（バイパスプラグ着脱端子）
２７  止めねじ（引込線取付部）
３０  絶縁カバー
４１  電力量計
４３  負荷側引込線
４４  遠隔操作型給電停止／停止解除装置
Ｐ  器体
【図１】
0003112715.tif 000003
【図２】
0003112715.tif 000004
【図３】
0003112715.tif 000005
【図４】
0003112715.tif 000006